【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
通信装置であって、
ダイレクト無線通信モードで動作している印刷装置に、外部のアクセスポイントを経由することなく、所定の無線通信方式で無線接続する無線通信手段と、
所定のユーザ操作を受け付けた場合に、前記所定の無線通信方式とは異なる通信方式であるＢｌｕｅｔｏｏｔｈ  Ｌｏｗ  Ｅｎｅｒｇｙ通信を用いて前記印刷装置から取得した情報に基づいて、前記印刷装置に前記ダイレクト無線通信モードの動作を停止させるか否かを決定する決定手段と、
を備えることを特徴とする通信装置。
【請求項２】
前記印刷装置に前記ダイレクト無線通信モードの動作を停止させると前記決定手段によって決定された場合に、前記Ｂｌｕｅｔｏｏｔｈ  Ｌｏｗ  Ｅｎｅｒｇｙ通信を用いて、前記ダイレクト無線通信モードの動作を停止するように前記印刷装置に指示する指示手段と、
前記印刷装置に前記ダイレクト無線通信モードの動作を停止させないと前記決定手段によって決定された場合に、エラー画面を表示する表示制御手段とを更に備えることを特徴とする請求項１に記載の通信装置。
【請求項３】
前記Ｂｌｕｅｔｏｏｔｈ  Ｌｏｗ  Ｅｎｅｒｇｙ通信を用いて前記印刷装置から取得する情報は、前記ダイレクト無線通信モードで動作している前記印刷装置に無線接続している端末の数を示す情報であることを特徴とする請求項１又は２に記載の通信装置。
【請求項４】
前記決定手段は、前記印刷装置に無線接続している端末の数が１台であれば、前記印刷装置に前記ダイレクト無線通信モードの動作を停止させると決定し、前記印刷装置に無線接続している端末の数が１台でなければ、前記印刷装置に前記ダイレクト無線通信モードの動作を停止させないと決定することを特徴とする請求項３に記載の通信端末。
【請求項５】
前記Ｂｌｕｅｔｏｏｔｈ  Ｌｏｗ  Ｅｎｅｒｇｙ通信を用いて前記印刷装置から取得する情報は、前記ダイレクト無線通信モードにおいて使用しているＳＳＩＤに関する情報であり、
前記決定手段は、前記ＳＳＩＤに関する情報に基づき、ＳＳＩＤの種類が第１タイプであると判断すると、前記印刷装置に前記ダイレクト無線通信モードの動作を停止させると決定し、前記ＳＳＩＤの種類が第２タイプであると判断すると、前記印刷装置に前記ダイレクト無線通信モードの動作を停止させないと決定することを特徴とする請求項１又は２に記載の通信端末。
【請求項６】
前記所定の無線通信方式は、ＩＥＥＥ８０２．１１シリーズのいずれか１つに準拠する無線通信方式であり、
前記Ｂｌｕｅｔｏｏｔｈ  Ｌｏｗ  Ｅｎｅｒｇｙ通信は、ＧＡＴＴ（Ｇｅｎｅｒｉｃ Ａｔｔｒｉｂｕｔｅ Ｐｒｏｆｉｌｅ）通信であることを特徴とする請求項１乃至５のいずれか１項に記載の通信装置。
【請求項７】
前記所定のユーザ操作は、前記印刷装置に前記ダイレクト無線通信モードの動作の停止を指示するための表示アイテムを選択するユーザ操作であることを特徴する請求項１乃至６のいずれか１項に記載の通信装置。
【請求項８】
通信装置の制御方法であって、
ダイレクト無線通信モードで動作している印刷装置に、外部のアクセスポイントを経由することなく、所定の無線通信方式で接続する接続工程と、
所定のユーザ操作を受け付けた場合に、前記所定の無線通信方式とは異なる通信方式であるＢｌｕｅｔｏｏｔｈ  Ｌｏｗ  Ｅｎｅｒｇｙ通信を用いて前記印刷装置から取得した情報に基づいて、前記印刷装置に前記ダイレクト無線通信モードの動作を停止させるか否かを決定する決定工程と、
を有することを特徴とする制御方法。
【請求項９】
前記印刷装置に前記ダイレクト無線通信モードの動作を停止させると前記決定工程で決定された場合に、前記Ｂｌｕｅｔｏｏｔｈ  Ｌｏｗ  Ｅｎｅｒｇｙ通信を用いて、前記ダイレクト無線通信モードの動作を停止するように前記印刷装置に指示する指示工程と、
前記印刷装置に前記ダイレクト無線通信モードの動作を停止させないと前記決定工程で決定された場合に、エラー画面を表示する表示制御工程と、を更に有することを特徴とする請求項８に記載の制御方法。
【請求項１０】
通信装置のコンピュータに、
ダイレクト無線通信モードで動作している印刷装置に、外部のアクセスポイントを経由することなく、所定の無線通信方式で接続する接続工程と、
所定のユーザ操作を受け付けた場合に、前記所定の無線通信方式とは異なる通信方式であるＢｌｕｅｔｏｏｔｈ  Ｌｏｗ  Ｅｎｅｒｇｙ通信を用いて前記印刷装置から取得した情報に基づいて、前記印刷装置に前記ダイレクト無線通信モードの動作を停止させるか否かを決定する決定工程と、
を実行させることを特徴とするプログラム。
【請求項１１】
前記印刷装置に前記ダイレクト無線通信モードの動作を停止させると前記決定工程で決定された場合に、前記Ｂｌｕｅｔｏｏｔｈ  Ｌｏｗ  Ｅｎｅｒｇｙ通信を用いて、前記ダイレクト無線通信モードの動作を停止するように前記印刷装置に指示する指示工程と、
前記印刷装置に前記ダイレクト無線通信モードの動作を停止させないと前記決定工程で決定された場合に、エラー画面を表示する表示制御工程と、
を前記コンピュータに更に実行させることを特徴とする請求項１０に記載のプログラム。
【請求項１２】
前記Ｂｌｕｅｔｏｏｔｈ  Ｌｏｗ  Ｅｎｅｒｇｙ通信を用いて前記印刷装置から取得する情報は、前記ダイレクト無線通信モードで動作している前記印刷装置に無線接続している端末の数を示す情報であることを特徴とする請求項１０又は１１に記載のプログラム。
【請求項１３】
前記決定工程では、前記印刷装置に無線接続している端末の数が１台であれば、前記印刷装置に前記ダイレクト無線通信モードの動作を停止させると決定し、前記印刷装置に無線接続している端末の数が１台でなければ、前記印刷装置に前記ダイレクト無線通信モードの動作を停止させないと決定することを特徴とする請求項１２に記載のプログラム。
【請求項１４】
前記Ｂｌｕｅｔｏｏｔｈ  Ｌｏｗ  Ｅｎｅｒｇｙ通信を用いて前記印刷装置から取得する情報は、前記ダイレクト無線通信モードにおいて使用しているＳＳＩＤに関する情報であり、
前記決定工程では、前記ＳＳＩＤに関する情報に基づき、ＳＳＩＤの種類が第１タイプであると判断すると、前記印刷装置に前記ダイレクト無線通信モードの動作を停止させると決定し、前記ＳＳＩＤの種類が第２タイプであると判断すると、前記印刷装置に前記ダイレクト無線通信モードの動作を停止させないと決定することを特徴とする請求項１０又は１１に記載のプログラム。
【請求項１５】
前記所定の無線通信方式は、ＩＥＥＥ８０２．１１シリーズのいずれか１つに準拠する無線通信方式であり、
前記Ｂｌｕｅｔｏｏｔｈ  Ｌｏｗ  Ｅｎｅｒｇｙ通信は、ＧＡＴＴ通信であることを特徴とする請求項１０乃至１４のいずれか１項に記載のプログラム。
【請求項１６】
前記所定のユーザ操作は、前記印刷装置に前記ダイレクト無線通信モードの動作の停止を指示するための表示アイテムを選択するユーザ操作であることを特徴する請求項１０乃至１５のいずれか１項に記載のプログラム。
【手続補正２】
【補正対象書類名】明細書
【補正対象項目名】０００８
【補正方法】変更
【補正の内容】
【０００８】
上述した課題を解決するために、本発明の１つの側面としての通信装置は、通信装置であって、ダイレクト無線通信モードで動作している印刷装置に、外部のアクセスポイントを経由することなく、所定の無線通信方式で無線接続する無線通信手段と、所定のユーザ操作を受け付けた場合に、前記所定の無線通信方式とは異なる通信方式であるＢｌｕｅｔｏｏｔｈ  Ｌｏｗ  Ｅｎｅｒｇｙ通信を用いて前記印刷装置から取得した情報に基づいて、前記印刷装置に前記ダイレクト無線通信モードの動作を停止させるか否かを決定する決定手段とを備えることを特徴とする。
【手続補正３】
【補正対象書類名】明細書
【補正対象項目名】０００９
【補正方法】削除
【補正の内容】